(57)【要約】【課題】使用時における利便性を維持したまま、その間における使用者の作業負担を軽減することが可能となる投影装置、及び指示画像消去方法を提供する。【解決手段】プロジェクタ１が、任意のスクリーンＳに投影中の画像に、レーザーポインタ４により照射されたレーザー光ＬのスクリーンＳ上の光点の位置（指示位置）を検出し、その移動軌跡を示す線画像を合成して表示して表示する機能を備えた構成において、プロジェクタ１に、表示後の１又は複数の線画像を予め設定されている条件に応じて自動的に消去させる。例えば表示してから一定時間が経過したものから順に消去させたり、ＰＣ２から送られてくる投影画像が変更された時点で一括して消去させたりする。また、線画像の表示単位が検出した指示位置毎である場合には、表示した線画像をその始点側から順に消去させる。【選択図】      図１
2006145643.tif 000002
【特許請求の範囲】
【請求項１】
画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置において、
スクリーンへ表示された前記指示画像を消去する条件を設定する設定手段と、
この設定手段により設定された条件に基づき前記指示画像を消去する消去手段と
を備えたことを特徴とする投影装置。
【請求項２】
前記設定手段は、使用者に要求された表示時間を前記条件として設定し、
前記消去手段は、前記設定手段により設定された表示時間の経過後に指示画像を消去する
ことを特徴とする請求項１記載の投影装置。
【請求項３】
前記指示画像を、前記指示位置に基づき所定の表示単位毎に生成する生成手段を備え、
前記設定手段は、前記生成手段により生成された指示画像を前記表示単位毎に消去する条件を設定し、
前記消去手段は、前記設定手段により設定された条件に基づき前記指示画像を表示単位毎に消去する
ことを特徴とする請求項１又は２記載の投影装置。
【請求項４】
前記生成手段は、各々が所定時間以内の間隔で連続して検出された複数の前記指示位置を表示単位として指示画像を生成することを特徴とする請求項３記載の投影装置。
【請求項５】
前記指示画像を、前記指示位置の各々を表示単位として生成する生成手段を備え、
前記消去手段は、前記生成手段により前記指示位置の各々を表示単位として生成された指示画像を、前記設定手段により設定された表示時間の経過後に消去する
ことを特徴とする請求項２記載の投影装置。
【請求項６】
前記設定手段により設定される条件には、投影画像の変更が含まれることを特徴とする請求項１から５のいずれか１項に記載の投影装置。
【請求項７】
画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置における指示画像を消去する方法であって、
スクリーンへ表示された前記指示画像を消去する条件を設定する工程と、
前記投影画像をスクリーンへ表示している間に、設定された条件を満足する事態が生じた時点で、投影画像と共に表示中の前記指示画像を消去する工程と
を備えたことを特徴とする指示画像消去方法。
【請求項８】
画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置が有するコンピュータを、
スクリーンへ表示された前記指示画像を消去する条件を設定する設定手段と、
この設定手段により設定された条件に基づき前記指示画像を消去する消去手段と
して機能させるためのプログラム。
【発明の詳細な説明】
【技術分野】
【０００１】
本発明は、レーザーポインタ等による指示位置を投影画像と共に表示可能な投影装置、及びその指示画像消去方法に関するものである。
【背景技術】
【０００２】
従来、プレゼンテーションや会議等においては、パーソナルコンピュータ（以下、ＰＣと略す。）で作成したドキュメント（文字や図表等）の画像をスクリーン上に拡大投影するプロジェクタが用いられている。一方、例えば下記の特許文献１には、プロジェクタにおいて、レーザーポインタ等のポインティング装置によってスクリーン上に照射された光点の位置情報を連続的に取得し、その軌跡を示す画像（線画等）を投影中の画像に表示可能とする構成が記載されている。係る構成を有するプロジェクタを用いれば、説明者あるいは会議等の出席者によって投影する画像に書き込みを行わせたいような場合には、ホワイトボード等の書き込み可能なスクリーンを用意しなくとも、それが可能となるのである。
【特許文献１】特開２００１−２２５１９号公報
【発明の開示】
【発明が解決しようとする課題】
【０００３】
しかしながら、上記プロジェクタを用いれば、任意の投影面（スクリーン）に投影した画像への書き込みが可能となるが、いったん書き込んだ（重畳表示した）線画等を消すためには、説明者等が決められたボタン操作を行うなど何らかの操作が不可欠となっている。そのため、例えば長時間表示させておく必要のない書き込みが頻繁に行われたりする場合にあっては、書き込み内容の消去操作も頻繁に必要となる。したがって、前述したように利便性が向上する代わりに、プロジェクタの使用中に説明者等にかかる作業負担が増大するという新たな問題が生じていた。
【０００４】
本発明は、かかる従来の課題に鑑みてなされたものであり、使用時における利便性を維持したまま、その間における使用者の作業負担を軽減することが可能となる投影装置、及び指示画像消去方法の提供を目的とする。
【課題を解決するための手段】
【０００５】
前記課題を解決するため請求項１の発明にあっては、画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置において、スクリーンへ表示された前記指示画像を消去する条件を設定する設定手段と、この設定手段により設定された条件に基づき前記指示画像を消去する消去手段とを備えたものとした。
【０００６】
かかる構成においては、スクリーン上で指示された任意の指示位置を示す指示画像が、スクリーンに投影画像と共に表示された後、予め設定された条件に基づき自動的に消去される。したがって、使用者による指示画像の消去操作が不要となる。
【０００７】
また、請求項２の発明にあっては、前記設定手段は、使用者に要求された表示時間を前記条件として設定し、前記消去手段は、前記設定手段により設定された表示時間の経過後に指示画像を消去するものとした。
【０００８】
かかる構成において、指示画像は、予め使用者に要求された表示時間だけスクリーンに投影画像と共に表示される。つまり使用者が都合に応じてスクリーン上での指示画像の表示時間を調整することができる。
【０００９】
また、請求項３の発明にあっては、前記指示画像を、前記指示位置に基づき所定の表示単位毎に生成する生成手段を備え、前記設定手段は、前記生成手段により生成された指示画像を前記表示単位毎に消去する条件を設定し、前記消去手段は、前記設定手段により設定された条件に基づき前記指示画像を表示単位毎に消去するものとした。
【００１０】
かかる構成においては、所定の表示単位毎に生成された指示画像が、スクリーンに投影画像と共に表示された後、予め表示単位毎に設定された条件に基づき、自動的にかつ個別に消去される。したがって、使用者による異なる表示単位毎の指示画像の消去操作が不要となる。
【００１１】
また、請求項４の発明にあっては、前記生成手段は、各々が所定時間以内の間隔で連続して検出された複数の前記指示位置を表示単位として指示画像を生成するものとした。
【００１２】
かかる構成においては、所定時間以内の間隔で連続して検出された複数の指示位置を表示単位とする指示画像が、スクリーンに投影画像と共に表示された後、予め設定された条件に基づき自動的に消去される。したがって、使用者による指示画像の消去操作が不要となる。
【００１３】
また、請求項５の発明にあっては、前記指示画像を、前記指示位置の各々を表示単位として生成する生成手段を備え、前記消去手段は、前記生成手段により前記指示位置の各々を表示単位として生成された指示画像を、前記設定手段により設定された表示時間の経過後に消去するものとした。
【００１４】
かかる構成においては、スクリーン上の指示位置を示す指示画像が、指示位置の移動に伴い線画像となるとき、それが予め設定された表示時間毎に始点側から順に自動的に消去される。したがって、使用者による指示画像の消去操作が不要となるようにした。
【００１５】
また、請求項６の発明にあっては、前記設定手段により設定される条件には、投影画像の変更が含まれるものとした。
【００１６】
かかる構成においては、スクリーン上で指示された任意の指示位置を示す指示画像が、スクリーンに投影画像と共に表示された後、投影画像の変更に伴い自動的に消去される。したがって、使用者による指示画像の消去操作が不要となる。
【００１７】
また、請求項７の発明にあっては、画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置における指示画像を消去する方法であって、スクリーンへ表示された前記指示画像を消去する条件を設定する工程と、前記投影画像をスクリーンへ表示している間に、設定された条件を満足する事態が生じた時点で、投影画像と共に表示中の前記指示画像を消去する工程とを備えた方法とした。
【００１８】
かかる方法によれば、スクリーン上で指示された任意の指示位置を示す指示画像が、スクリーンに投影画像と共に表示された後、予め設定された条件に基づき自動的に消去される。したがって、使用者による指示画像の消去操作が不要となる。
【００１９】
また、請求項８の発明にあっては、画像情報に応じた投影光をスクリーンに照射し前記画像情報に基づく投影画像をスクリーンに表示するとともに、スクリーン上で指示された任意の指示位置を検出し、検出した指示位置を示す指示画像を当該指示位置に一致させスクリーンに前記投影画像と共に表示する投影装置が有するコンピュータを、スクリーンへ表示された前記指示画像を消去する条件を設定する設定手段と、この設定手段により設定された条件に基づき前記指示画像を消去する消去手段として機能させるためのプログラムとした。
【発明の効果】
【００２０】
以上のように請求項１，７の発明においては、スクリーン上で指示された任意の指示位置を示す指示画像が、スクリーンに投影画像と共に表示された後、予め設定された条件に基づき自動的に消去されることによって、使用者による指示画像の消去操作が不要となるようにした。よって、使用時における利便性を維持したまま、その間における使用者の作業負担を軽減することが可能となる。
【００２１】
また、請求項２の発明においては、使用者が都合に応じてスクリーン上での指示画像の表示時間を調整することができるようにした。よって、利便性がさらに向上する。
【００２２】
また、請求項３の発明においては、所定の表示単位毎に生成された指示画像が、スクリーンに投影画像と共に表示された後、予め表示単位毎に設定された条件に基づき、自動的にかつ個別に消去されることによって、使用者による異なる表示単位毎の指示画像の消去操作が不要となるようにした。よって、指示画像が異なる表示単位毎に表示される場合であっても、使用時における利便性を維持したまま、その間における使用者の作業負担を軽減することが可能となる。
【００２３】
また、請求項４の発明においては、所定時間以内の間隔で連続して検出された複数の指示位置を表示単位とする指示画像が、スクリーンに投影画像と共に表示された後、予め設定された条件に基づき自動的に消去されることによって、使用者による指示画像の消去操作が不要となるようにした。よって、使用時における利便性を維持したまま、その間における使用者の作業負担を軽減することが可能となる。
【００２４】
また、請求項５の発明においては、スクリーン上の指示位置を示す指示画像が、指示位置の移動に伴い線画像となるとき、それが予め設定された表示時間毎に始点側から順に自動的に消去されることによって、使用者による指示画像の消去操作が不要となるようにした。よって、使用時における利便性を維持したまま、その間における使用者の作業負担を軽減することが可能となる。同時に、投影画像の見やすさを損なうことなく指示位置を知らせる線画像をスクリーン上に表示させることができる。
【００２５】
また、請求項６の発明においては、スクリーン上で指示された任意の指示位置を示す指示画像が、スクリーンに投影画像と共に表示された後、投影画像の変更に伴い自動的に消去されることによって、使用者による指示画像の消去操作が不要となるようにした。よって、使用時における利便性を維持したまま、その間における使用者の作業負担を軽減することが可能となる。
【発明を実施するための最良の形態】
【００２６】
以下、本発明の一実施の形態を図にしたがって説明する。図１は、本発明の投影装置であるプロジェクタ１を含む投影システムの構成図である。この撮像投影システムは、プロジェクタ１とノート型のパーソナルコンピュータ（以下、ＰＣ）２とから構成されており、プロジェクタ１とＰＣ２はＲＧＢケーブル１００を介して接続されている。プロジェクタ１の体正面に、ＰＣ２から送られたドキュメント等の画像（以下、投影画像という。）に応じた投射光を任意のスクリーンＳに投射する投影部１ａと、スクリーンＳの投影画面全体を撮影するための撮影部１ｂとが設けられている。
【００２７】
また、プロジェクタ１には、必要に応じてスクリーンＳ上の任意の位置に指示用のレーザー光Ｌを照射するレーザーポインタ４が付属されている。本実施の形態のレーザーポインタ４は、赤外線によってプロジェクタ１に直接特定の指示を行うことができるリモコン機能を備えたものであり、レーザー光の発光スイッチ４ａに加え、後述する所定の機能が割り当てられた操作ボタン４ｂが設けられている。なお、前記特定の指示は、スクリーンＳ上に書き込む軌跡の種類（オブジェクト、又はポインタ）の設定（選択）操作である。
【００２８】
図２は、前記プロジェクタ１と前記ＰＣ２との電気的構成の概略を示すブロック図である。前記プロジェクタ１は、ＣＰＵ１１、ＲＯＭ１２、ＲＡＭ１３、画像処理部１４、表示部１５、キー入力部１６、赤外信号受信部１７、カメラ部１８を備えている。画像処理部１４には、前記ＲＧＢケーブル１００が接続されたＲＢＧ信号の入力端子１９が接続されており、ＰＣ２から入力した入力画像信号（ＲＧＢ信号）に基づき、画像を投影するための表示信号を生成して表示部１５へ送る。また、画像処理部１４は、本発明の生成手段であって、前記レーザーポインタ４によってスクリーンＳ上に照射された光点の軌跡である後述するオブジェクト単位やポインタ単位の線画像を記憶する画像メモリ等が設けられており、それらの線画像を上記入力画像信号に合成する。
【００２９】
表示部１５は、クリプトンランプ等の光源、及び光源の光を、入力表示信号に応じた投影光に変換するための液晶やマイクロミラーアレイ等の画像変換素子（本発明の画像変換手段）、その画像変換素子を、画像処理部１４から送られた表示信号に基づき駆動する駆動回路、前記投影部１ａに設けられている投影レンズ等の光学系を含み、ＰＣ２から送られた画像データに基づく表示画像をスクリーンＳに投影する。
【００３０】
カメラ部１８は、前記スクリーンＳを撮影して撮影した画像を前記画像処理部１４へ送る構成であり、前記撮影部１ｂに配置された図示しない撮影レンズ、ＣＣＤ等の固体撮像素子や、その駆動回路やＡ／Ｄ変換器、信号処理回路、画像メモリ等から構成されている。キー入力部１６は、ユーザーがプロジェクタ１の操作を行うために用意された複数の操作キーにより構成されている。赤外信号受信部１７は、前述したレーザーポインタ４から送られた赤外線を受光し、それにコード化されている操作信号をデコードしてＣＰＵ１１へ送る。
【００３１】
ＣＰＵ１１は、ＲＯＭ１２に格納されているプログラムに従いＲＡＭ１３を作業用メモリとして動作しプロジェクタ１全体を制御するとともに、時計機能を有するクロックが内蔵されたものであり、本発明の設定手段、消去手段として機能する。ＲＡＭ１３は、電源オフ状態での記憶データの保持機能を備えたメモリであって、ＲＡＭ１３には、図３に示した設定情報記憶領域１３ａ、ポインタ情報記憶領域１３ｂ、オブジェクト情報記憶領域１３ｃ、作業用記憶領域１３ｄの各記憶領域が確保されている。
【００３２】
前記設定情報記憶領域１３ａには、任意の投影面（スクリーン）に投影した画像への書き込み機能に関する設定情報であって、予めユーザーにより設定された情報ある図４（ａ）に示した表示時間情報１０１と、同図（ｂ）に示した消去機能情報１０２、同図（ｃ）に示した線属性情報１０３が記憶される。
【００３３】
表示時間情報１０１は、投影した画像への書き込み内容の単位（以下、表示単位という。）毎に設定された表示時間の情報である。本実施の形態における表示単位は、スクリーン上を移動するレーザーポインタ４による光点の全軌跡からなるオブジェクトと、個々の光点の位置であるポインタの２種類である。表示時間は、それらの表示を継続させるべき時間であって、オブジェクトは１０秒単位、ポインタは２秒単位の時間である。
【００３４】
また、消去機能情報１０２は、上記表示単位での書き込みの手動消去に関する機能のオンオフ（使用の可否）を示す情報である。手動消去機能としてはボタン押下（前記キー入力部１６の所定のキー、又は前記レーザーポインタ４の操作ボタン４ｂの操作）による消去と、画面上指示（投影画面の所定箇所の指示）による消去との２種類である。
【００３５】
また、線属性情報１０３は、前述したオブジェクトとポインタを単位とした線画の太さと色に関する情報である。太さは「太」、「中」、「細」の３種類のいずれかであり、また色は「赤」、「青」、「緑」、「黄」、「レインボー」の５種類である。なお、「レインボー」はポインタ単位での書き込み時のみ設定可能であり、ポインタ毎に上記色を自動的に切り替えるものである。
【００３６】
また、ＲＡＭ１３の前記オブジェクト情報記憶領域１３ｃには図５（ａ）に示したオブジェクト情報１０４が、前記ポインタ情報記憶領域１３ｂには同図（ｂ）に示したポインタ情報１０５が、それぞれプロジェクタ１の投影動作中に記憶される。図示したようにオブジェクト情報１０４はオブジェクト毎に割り当てられる番号と、移動軌跡を示す複数点の座標データと、消去時刻とからなるデータである。
【００３７】
また、ポインタ情報１０５はポインタ毎に割り当てられる番号と、ポインタの位置を示す座標データと消去時刻とからなるデータである。また、オブジェクト情報１０４及びポインタ情報１０５における消去時刻は、オブジェクト又はポインタの線画像を消去すべき時刻であって、それぞれが所定の基準時刻（ｈ．ｍｍ．ｓｓ．ｓ）から前記表示時間情報１０１として設定されている表示時間が経過した後の時刻である。なお、図５（ａ）はオブジェクトの表示時間が３０秒に設定されている場合、同図（ｂ）は、ポインタの表示時間が２秒に設定されている場合の例である。
一方、前記ＰＣ２は、図２に示したように、主としてＣＰＵ２１と、ＲＡＭ２２、記憶装置２３、入力装置２４、ビデオアダプタ２５、ＶＲＡＭ２６、表示装置２７を備えた汎用的な構成を備えたものである。ビデオアダプタ２５は、表示用のビデオ信号（ＲＧＢ信号）を生成し、ＬＣＤ及びその駆動回路等からなる前記表示装置２７に出力し、ＶＲＡＭ２６は、ビデオアダプタ２５が生成した表示用の画像データを随時記憶する。また、ビデオアダプタ２５には、前記ＲＧＢケーブル１００が接続されたＲＢＧ出力端子２８が設けられており、ビデオアダプタ２５は、ＣＰＵ２１の命令に応じて表示用の画像データをＲＧＢケーブル１００を介してプロジェクタ１へ出力する。入力装置２４は、ＰＣ２本体に設けられた複数のキーや、本体に接続されたマウス等、記憶装置２３は記憶容量の比較的大きなハードディスク等であり、前記記憶装置２３には、プレゼンテーション用のドキュメントの作成・編集を行うための所定のプレゼンテーション・プログラム等が格納されている。
【００３８】
次に、前記プロジェクタ１によるドキュメント等の投影動作中における本発明に係る動作をＣＰＵ１１の処理内容を示す図６のフローチャートに従って説明する。
【００３９】
ＣＰＵ１１は、任意の投影画像の投影動作の開始に伴い、一定間隔（３０回／秒等）での前記カメラ部１８によるスクリーン画像の撮像、及びレーザーポインタ４により照射された光点の位置すなわち指示位置の検出を開始する（ステップＳ１）。なお、指示位置の検出は、例えば投影画像の投影直後に撮像した画像を基準として、それ以降に撮像した画像から一定値以上の色差や輝度が認められる位置（ドット）を検出すことにより行う。
【００４０】
そして、指示位置が検出できたら（ステップＳ２）、その時点で指定されている表示単位がポインタ単位であるか否かを確認し、ここで表示単位がポインタ単位でなくオブジェクト単位であった場合には（ステップＳ３でＮＯ）、検出した指示位置の軌跡データ（座標データ）をＲＡＭ１３の作業用記憶領域１３ｄに記憶する（ステップＳ４）。そして、いったん後述するステップＳ１３の消去処理へ移行した後、投影終了でなければステップＳ２へ戻り（ステップＳ１４でＮＯ）、一定間隔の検出タイミングで指示位置が検出できている間は、上記処理を繰り返す。これにより、表示単位がオブジェクト単位に設定されている場合には、複数の軌跡データが作業用記憶領域１３ｄに記憶される。
【００４１】
一方、表示単位がオブジェクト単位に設定されている場合において、所定の期間内（例えば数回の検出タイミングに対応する期間内）に指示位置が検出できなったときには（ステップＳ２でＮＯ、ステップＳ８でＹＥＳ）、前述したようにしてＲＡＭ１３の作業用記憶領域１３ｄに軌跡データが記憶されていれば（ステップＳ９でＹＥＳ）、前記表示時間情報１０１により示されるユーザーによって設定された表示時間に応じた消去時刻を計算するとともに、その計算結果と複数の軌跡データを、新たなオブジェクト情報１０４としてＲＡＭ１３のオブジェクト情報記憶領域１３ｃに記憶する（ステップＳ１０）。
【００４２】
引き続き、新たなオブジェクト情報１０４の全軌跡データを結ぶ線画像であって、線属性情報１０３により示されるユーザーによって設定された太さと色の線画像を生成し（ステップＳ１１）、生成した線画を投影画像に合成して表示する（ステップＳ１２）。これにより、表示単位がオブジェクト単位であったときには、レーザーポインタ４による指示位置の始点から終点までの移動軌跡が線画像として投影画面上に表示される。
【００４３】
しかる後、いったん後述するステップＳ１３の消去処理へ移行した後、投影終了でなければステップＳ２へ戻り（ステップＳ１４でＮＯ）、一定間隔の検出タイミングで指示位置が検出できている間は、上記処理を繰り返す。それにより、表示単位がオブジェクト単位である間は、任意の箇所に指示位置の移動軌跡と一致する線画像が投影画像と共にスクリーンＳ上に表示される。
【００４４】
また、指示位置の検出時点で指定されている表示単位がポインタ単位であったときには（ステップＳ２，Ｓ３が共にＹＥＳ）、前記表示時間情報１０１によって示されるユーザーによって設定された表示時間に応じた消去時刻を計算し、検出した指示位置の座標データと共に、ＲＡＭ１３のポインタ情報記憶領域１３ｂに記憶してポインタ情報１０５を更新する（ステップＳ５）。引き続き、直前に記憶されているポインタ・データ（前の番号のポインタ・データ）とを結ぶ線画であって、線属性情報１０３によって示されるユーザーによって設定された太さと色の線画を生成し（ステップＳ６）、生成した線画を投影画像に合成して表示する（ステップＳ７）。しかる後、いったん後述するステップＳ１３の消去処理へ移行した後、投影終了でなければステップＳ２へ戻り（ステップＳ１４でＮＯ）、一定間隔の検出タイミングで指示位置が検出できている間は、上記処理を繰り返す。
【００４５】
これにより、表示単位がポインタ単位であった場合には、ステップＳ５〜Ｓ６の繰り返しによって、レーザーポインタ４による指示位置の移動軌跡が、リアルタイムで描かれる線画として投影画面上に表示される。つまり当初の指示位置を始点とするととともに、その移動に追随して延びる線画が投影画像と共にスクリーンＳ上に表示されることとなる。
【００４６】
一方、以上の処理中におけるステップＳ１３の消去処理においては、図７に示したように、前述したオブジェクト情報１０４又はポインタ情報１０５のいずれかに示されている消去時刻が到来したか否かを判別する（ステップＳ１１１）。そして、係る判別の結果がＹＥＳであって、到来した消去時刻がオブジェクト情報１０４に示されている時刻であった場合には（ステップＳ１１２でＮＯ）、消去時刻が到来したオブジェクト情報１０４をＲＡＭ１３のオブジェクト情報記憶領域１３ｃから消去するとともに、当該オブジェクト情報１０４に基づく線画像を消去する（ステップＳ１１３）。すなわち当該オブジェクト情報１０４に基づく線画像の投影画像への合成を終了する。
【００４７】
したがって、例えば上記処理の直前において、例えば図８に示したように上方側から順番に書き込まれたオブジェクト単位の複数の線画像２０１，２０２，２０３がスクリーンＳ上に表示されている場合においては、最も上方に位置する１番目に書き込まれた（表示された）線画像２０１が、消去時刻が到来した時点、つまり設定されている表示時間が経過した時点でスクリーンＳ上から自動的に消えることとなる。そして、さらに時間が経過すると、２番目に書き込まれた線画像２０２がスクリーンＳ上から自動的に消えることとなる。
【００４８】
また、消去時刻が到来したとき、それがポインタ情報１０５に示されている時刻であった場合には（ステップＳ１１２でＹＥＳ）、消去時刻が到来したポインタ情報１０５をＲＡＭ１３のポインタ情報記憶領域１３ｂから消去するとともに、表示中の線画から、当該ポインタ情報１０５により示される位置を端点とする区間（書き始め側の区間）を消去する（ステップＳ１１４）。すなわち表示中の線画を、当該ポインタ情報１０５により示される位置を端点とする区間が存在しない線画に更新し、投影画像に合成する。
【００４９】
これにより表示単位がポインタ単位に設定されている間に投影画像と共にスクリーンＳ上に表示される線画においては、レーザーポインタ４による当初の指示位置を始点として指示位置に追随して延びる間に、それと並行して始点側の区間が順に消失して行き、指示位置の移動が停止したり、それがなくなった後には、全区間が消失することとなる。さらに、スクリーンＳ上に表示される指示位置を先端とした線画の長さが、予め設定されている表示時間の長さに比例する長さとなる。すなわち図９は設定されている表示時間の違いによる異なる線画の長さを示した図であって、同図（ａ）は相対的に短い場合、同図（ｂ）はそれよりも長い場合の線画像２０４の変化をそれぞれ示した図である。図においてＡは当初の指示位置である（始点）、Ｂは移動する指示位置であり、波線で示した部分が表示時間の経過とともに消失した１又は複数の消失区間Ｃであり、指示位置の移動速度が同一の場合には、設定されている表示時間が長いほど線画像２０４も長くなる。
【００５０】
また、消去処理においては、上述した消去時刻の到来の有無と関係なくＰＣ２から送られている投影画像の変更の有無を確認しており、変更があった場合には（ステップＳ１１５でＹＥＳ）、直ちに全てのオブジェクト情報１０４及び全てのポインタ情報１０５を消去するとともに、それまで合成していた線画像の合成を停止して、それをスクリーンＳ上から自動的に消去する（ステップＳ１２０）。
【００５１】
さらに、予め設定されているボタン押下による消去機能が有効である場合に、所定のボタンが押されたとき（ステップＳ１１６，Ｓ１１７が共にＹＥＳ）、及び画面上指示による消去機能が有効である場合に、レーザーポインタ４によって投影画面の所定箇所が指示されたときには（ステップＳ１１８，Ｓ１１９が共にＹＥＳ）、それらに応じてオブジェクト情報１０４及び全てのポインタ情報１０５を消去するとともに、それまで合成していた線画像の合成を停止して、それをスクリーンＳ上から消去する（ステップＳ１２０）。
【００５２】
そして、以上の消去処理の終了後には図６の処理に戻り、投影終了でなければステップＳ２へ戻り（ステップＳ１４でＮＯ）、前述した全ての処理を繰り返し、投影終了となった時点で（ステップＳ１４でＹＥＳ）処理を完了する。なお、その際には、全てのオブジェクト情報１０４及び全てのポインタ情報１０５を消去する。
【００５３】
以上のように本実施の形態においては、オブジェクト又はポインタを表示単位としてスクリーンＳ上に投影画像と共に表示する線画像、つまり説明者等のユーザーによる書き込み内容を、予め設定されている表示時間が経過した時点で自動的に表示単位毎に個別に消去する、つまり表示単位を消去単位として消去し、またはＰＣ２から送られている投影画像に変更があった時点では、その時点で表示中の全ての線画像を自動的に消去するため、ユーザーによる書き込み内容の消去操作が不要である。したがって、任意の投影面（スクリーン）に投影した状態の画像に書き込みを行うことができるといった利便性を維持したまま、その間におけるユーザーの作業負担を軽減することができる。
【００５４】
また、ポインタを表示単位として書き込みを行っているときの線画像については、図９に示したように、それが始点側から順に自動的に消去されるとともに、予め表示時間を短い時間に設定しておくことにより指示位置を先端とした線画の長さを短くすることができる。したがって線画の長さを短くすることにより、投影画像の見やすさを損なうことなく、レーザーポインタ４による書き込みを行っているユーザーに、その時々の指示位置を分かりやすく知らせることもできる。
【００５５】
なお、本実施の形態においては、オブジェクト又はポインタを表示単位として表示する線画像を、連続的に検出した指示位置（座標位置）の間を連結した線の画像としたが、検出した個々の指示位置に、線属性情報１０３により示される太さ（外径）と色とを備えた丸や四角等の任意形状の点によって表現される線の画像としてもよい。
【００５６】
また、本実施の形態では、プロジェクタ１が、自己が取得したオブジェクト情報１０４及びポインタ情報１０５に基づく線画像を、逐次投影中の画像に合成するものについて説明したが、以下のようにしてもよい。例えばプロジェクタ１とＰＣ２とをＵＳＢ等によって相互間のデータ通信が可能な構成とし、プロジェクタ１が取得した前記オブジェクト情報１０４及びポインタ情報１０５をプロジェクタ１からＰＣ２へ送らせ、ＰＣ２において、それに基づく線画像を生成し、かつそれをプロジェクタ１へ出力している画像に合成させるようにしてもよい。つまりプロジェクタ１とＰＣ２とによって本発明の投影装置を実現するようにしてもよい。その場合は、前述した表示時間情報１０１、消去機能情報１０２、線属性情報１０３は、オブジェクト情報１０４及びポインタ情報１０５と共にＰＣ２へ送らせるか、又は、ＰＣ２において取得させる、つまりユーザーによる条件設定等の設定作業をＰＣ２において行わせるかのいずれかとなる。
【００５７】
さらには、プロジェクタ１のカメラ部１８を廃止するとともに、前記オブジェクト情報１０４及びポインタ情報１０５を、プロジェクタ１との間のデータ通信（有線、無線は問わない。）が可能な構成を有する、別途設けた他の機器に取得させ、係る機器からプロジェクタ１又はＰＣ２、つまり線画像を生成する側に転送させる構成としてもよい。その場合、上記他の機器も本発明の投影装置を構成することとなる。なお他の機器としては、例えば一般的な基本構成を備えたデジタルカメラに、前記プロジェクタ１と同様の方法によって、レーザーポインタ４により照射されたスクリーンＳ上における光点の位置（指示位置）を検出するとともに、それをプロジェクタ１やＰＣ２へ逐次転送する機能を持たせたものが考えられる。
【図面の簡単な説明】
【００５８】
【図１】本発明に係るプロジェクタを含む投影システムの構成図である。
【図２】プロジェクタとパーソナルコンピュータとの電気的構成の概略を示すブロック図である。
【図３】ＲＡＭに確保される記憶領域を示す模式図である。
【図４】（ａ）は表示時間情報のデータ構成、（ｂ）は消去機能情報のデータ構成、（ｃ）は線属性情報のデータ構成をそれぞれ示す模式図である。
【図５】（ａ）はオブジェクト情報のデータ構成、（ｂ）はポインタ情報のデータ構成をそれぞれ示す模式図である。
【図６】プロジェクタの本発明に係る動作を示すフローチャートである。
【図７】消去処理の内容を示すフローチャートである。
【図８】スクリーン上における複数のオブジェクト単位の線画像の表示状態の変化を示す遷移図である。
【図９】スクリーン上におけるポインタ単位の線画像の表示状態の変化を示す、（ａ）は表示時間が短い場合、（ｂ）は表示時間が長い場合の遷移図である。
【符号の説明】
【００５９】
１    プロジェクタ
１ａ    投影部
１ｂ    撮影部
２    ＰＣ
４    レーザーポインタ
４ａ    発光スイッチ
４ｂ    操作ボタン
１１    ＣＰＵ
１２    ＲＯＭ
１３    ＲＡＭ
１３ａ    設定情報記憶領域
１３ｂ    ポインタ情報記憶領域
１３ｃ    オブジェクト情報記憶領域
１３ｄ    作業用記憶領域
１４    画像処理部
１５    表示部
１６    キー入力部
１７    赤外信号受信部
１８    カメラ部
１９    入力端子
２８    ＲＢＧ出力端子
１００    ＲＧＢケーブル
１０１    表示時間情報
１０２    消去機能情報
１０４    オブジェクト情報
１０５    ポインタ情報
２０１〜２０４    線画像
Ｌ    レーザー光
Ｓ    スクリーン
【図１】
2006145643.tif 000003
【図２】
2006145643.tif 000004
【図３】
2006145643.tif 000005
【図４】
2006145643.tif 000006
【図５】
2006145643.tif 000007
【図６】
2006145643.tif 000008
【図７】
2006145643.tif 000009
【図８】
2006145643.tif 000010
【図９】
2006145643.tif 000011